(57)【特許請求の範囲】
【請求項１】
筐体内の所定部位に設けられ、カメラを接続するカメラコネクタを介して入力された映像信号を所定の伝送フォーマットに従い信号処理して、通信コネクタを介して映像伝送先に送信する映像処理部を実装する親基板と、
前記筐体内の背面若しくは一側面に螺子止め固定され、前記映像処理部が前記映像伝送先に送付する装置固有のＭＡＣアドレスを記憶した固定記憶部を実装すると共に、前記筐体から取り外し可能に設けられる子基板と、
前記親基板と前記子基板が第１筐体内に実装され、前記親基板と前記子基板が内部ケーブルを介して接続される現用機と、
前記親基板が第２筐体内に実装され、前記現用機が故障したとき、前記現用機の第１筐体に実装されていた前記子基板を取り外して前記第２筐体内の子基板として取り付けることが可能な予備機と、
を具備したことを特徴とする映像伝送処理装置。
【請求項２】
前記子基板の前記固定記憶部には、更に前記映像信号を符号化して伝送する時の伝送レートなどを規定した機器設定情報を格納していることを特徴とする請求項１に記載の映像伝送処理装置。
【請求項３】
前記映像処理部は、
前記カメラコネクタを介して入力された前記映像信号をデジタル信号化するＡＤコンバータと、
前記ＡＤコンバータで処理された前記映像信号をパケット化するデジタルシグナルプロセッサと、
前記子基板の前記固定記憶部から読み取った前記ＭＡＣアドレスを用いて前記映像伝送先との回線を確立し、前記映像伝送先に前記パケット化された映像信号を伝送する通信機能部と、
を具備したことを特徴とする請求項１に記載の映像伝送処理装置。
【発明の詳細な説明】
【技術分野】
【０００１】
本発明は、例えば複数チャネルのカメラ映像を扱う映像監視システムに適用して好適な映像伝送処理装置に関する。
【背景技術】
【０００２】
複数チャネルのカメラ映像を扱う映像監視システムにおいては、監視用の撮像カメラで撮影した画像の映像信号を通信回線を介してホスト側の機器に伝送する映像伝送処理装置が適用される。具体例を挙げると、ＩＰエンコーダと称される映像伝送処理装置は、複数のカメラで撮影した画像の映像信号を入力しパケット処理してＬＡＮ等の通信回線を介し、映像伝送処理装置等の端末装置を遠隔監視する監視サーバへ映像・制御信号を伝送する。
【０００３】
この種の映像監視システムにおいては、継続的なシステム運用を確保しなければならないことから、システムを構成する機器の故障や保守点検に対して迅速な交換作業や保守点検作業が要求される。
【０００４】
システムを構成する映像伝送処理装置においては、ホスト側の機器となる監視サーバとの間で通信を確立するための通信プロトコルを必要とし、ＭＡＣ（media access control）アドレスを用いて監視サーバとの間の通信が確立される。このＭＡＣアドレスは周知の通り、映像伝送処理装置に固有の機器（ハードウェア）アドレスであり、固定値で設定される。なお、ネットワーク上のデータ転送には予め定義されたＩＰ（internet protocol）アドレスが用いられる。
【０００５】
従って、システムを構成する映像伝送処理装置の交換等による入れ替え作業においては、ＭＡＣアドレスの変更が伴い、このＭＡＣアドレスの変更作業に多くの時間と労力が費やされ、その間、システム運用を中断（停止）しなければならないという問題があった。
【０００６】
このＭＡＣアドレスを対象とした機器制御技術として、従来ではＭＡＣアドレスを有する着脱型デバイスを用いたライセンス認証システム（特許文献１参照）や、ＬＡＮ接続インターフェイスユニット（特許文献２参照）などが存在した。しかしながら、これらの技術は、本来のシステム構成要素の他に、ＭＡＣアドレスの承継を対象とした特殊なシステム構成や、認証システムなどが必要とされ、装置全体の構成が煩雑になるとともに、経済性の面でも問題がある。
【先行技術文献】
【特許文献】
【０００７】
【特許文献１】特開２００６−２１５７１４号公報
【特許文献２】特開２００３−０８７２５２号公報
【発明の概要】
【発明が解決しようとする課題】
【０００８】
上述したように、従来では、映像伝送処理装置の交換等による入れ替え作業においてＭＡＣアドレスの変更作業に多くの時間と労力が費やされ、その間、システム運用を中断しなければならないという問題があった。
【０００９】
本発明は上記実情に鑑みなされたもので、煩雑なシステム構成や認証システムなどを必要とせず、装置の入れ替え作業を迅速かつ容易に行うことのできる映像伝送処理装置を提供することを目的とする。
【課題を解決するための手段】
【００１０】
本発明は、筐体内の所定部位に設けられ、カメラを接続するカメラコネクタを介して入力された映像信号を所定の伝送フォーマットに従い信号処理して、通信コネクタを介して映像伝送先に送信する映像処理部を実装する親基板と、前記筐体内の背面若しくは一側面に螺子止め固定され、前記映像処理部が前記映像伝送先に送付する装置固有のＭＡＣアドレスを記憶した固定記憶部を実装すると共に、前記筐体から取り外し可能に設けられる子基板と、前記親基板と前記子基板が第１筐体内に実装され、前記親基板と前記子基板が内部ケーブルを介して接続される現用機と、前記親基板が第２筐体内に実装され、前記現用機が故障したとき、前記現用機の第１筐体に実装されていた前記子基板を取り外して前記第２筐体内の子基板として取り付けることが可能な予備機と、を具備した映像伝送処理装置を特徴とする。
【発明の効果】
【００１１】
本発明によれば、煩雑なシステム構成や認証システムなどを必要とせず、装置の入れ替え作業を迅速かつ容易に行うことのできる映像伝送処理装置が提供できる。
【図面の簡単な説明】
【００１２】
【図１】本発明の実施形態に係る映像伝送処理装置の概要を説明するための図。
【図２】上記実施形態に係る映像伝送処理装置の構成を示すブロック図。
【図３】上記実施形態に係る映像伝送処理装置の子基板取付構造を示す斜視図。
【発明を実施するための形態】
【００１３】
以下図面を参照して本発明の実施形態を説明する。
【００１４】
本発明の実施形態に係る映像伝送処理装置を図１乃至図３に示している。図１は上記映像伝送処理装置の概要を説明するための図、図２は同装置の構成を示すブロック図、図３は同装置の子基板取付構造を示す斜視図である。
【００１５】
図１に示す映像伝送処理装置１０−１および１０−２はそれぞれ一部構成要素（子基板１２）の実装有無を除いて同一構成であり、映像伝送処理装置１０−１は（故障若しくはシステム変更若しくは機能変更若しくは保守点検などにより）映像監視システムから切り離される映像伝送処理装置、映像伝送処理装置１０−２は映像伝送処理装置１０−１に代わって映像監視システムに組み入れられる（予備機から現用機になる）映像伝送処理装置である。ここでは映像伝送処理装置１０−１を装置Ａ、映像伝送処理装置１０−２を装置Ｂと呼称する。予備機として予め用意された装置Ｂには子基板１２が実装されておらず、装置Ａから取り外した子基板（子基板Ａ）１２を装置Ｂに組み込むことにより、映像監視システム内において装置Ａに代わって装置Ｂが動作可能となる。子基板（子基板Ａ）１２には、映像伝送処理装置１０に固有のＭＡＣアドレス（ハードウェアアドレス）を予め記憶した固定記憶部１２１が実装され、この固定記憶部１２１に記憶されたＭＡＣアドレスを用いて映像伝送処理装置１０（子基板Ａを組み込んだ装置Ｂ）と映像監視システム内のデータ伝送先（通信相手先）の機器との間の回線接続が可能となる。
【００１６】
映像伝送処理装置１０は、図２および図３に示すように、カメラ（監視カメラ）２０を接続するカメラコネクタＰ１，Ｐｍ、および伝送線路となるＬＡＮを接続する通信コネクタＣ１を有した筐体１０Ａと、筐体１０Ａ内の所定部位に設けられた親基板１１と、筐体１０Ａ内の親基板１１が設けられた部位と別の部位に設けられ、親基板１１に回路接続する内部コネクタ１３を有して、筐体１０Ａから取り外し可能に設けられた子基板１２と、親基板１０Ａに実装され、カメラコネクタＰ１，Ｐｍに入力された映像信号を所定の伝送フォーマットに従い信号処理して通信コネクタＣ１に出力する映像処理部と、子基板１２に実装され、映像処理部が通信コネクタＣ１を介して回線接続先に送付するＭＡＣアドレスを記憶した固定記憶部１２１とを具備して構成される。子基板１２は板面積を親基板１１の１／１０程度の小面積にして取り扱いを容易にした小型基板であり、筐体１０Ａ内の取り付け、取り外しが容易な部位に設けられている。ここでは、筐体１０Ａ内の一側面部に取付螺子１６で螺子止めされている。
【００１７】
この子基板１２にはＥＥＰＲＯＭを用いた固定記憶部１２１が実装され、内部コネクタケーブル１４が内部コネクタ１３にコネクタ接続されることにより、子基板１２に実装されたＥＥＰＲＯＭが親基板１１に回路接続される。なお、内部コネクタケーブル１４はＥＥＰＲＯＭの接続配線を延長するフレキシブルケーブルにより構成されている。固定記憶部１２１には、上記したＭＡＣアドレスの他に、映像信号を符号化して伝送する時の転送レートなどを規定した機器設定情報が予め格納されている。
【００１８】
親基板１１は筐体１０Ａに設けられた基板取付用の支柱１５に支持されて筐体１０Ａ内の予め定められた基板取付部位に螺子止め固定されている。この親基板１１には、映像処理部を構成するデジタルシグナルプロセッサ（ＤＳＰ）１１１、Ａ／Ｄコンバータ１１２、内部記憶部（ＭＭ）１１３、通信インターフェイス部（ＰＨＹ）１１４等の回路素子が実装されている。
【００１９】
ＤＳＰ１１１は、映像伝送処理装置１０における装置全体の制御を司るもので、子基板１２に実装された固定記憶部１２１からＭＡＣアドレスおよび機器設定情報を読み出し、読み出したＭＡＣアドレスおよび機器設定情報を予め付与されたＩＰアドレスとともに内部記憶部１１３に記憶し、Ａ／Ｄコンバータ１１２でデジタル化された映像信号を機器設定情報の仕様に従いパケット処理して、ＭＡＣアドレスおよびＩＰアドレスとともに通信インターフェイス部１１４に送出する処理機能を有する。
【００２０】
Ａ／Ｄコンバータ１１２はカメラコネクタＰ１，Ｐｍに入力された監視カメラ２０各々の映像信号をノイズ低減しアナログ／デジタル変換してＤＳＰ１１１に送出する処理機能を有する。内部記憶部（ＭＭ）１１３はＤＳＰ１１１が実行するプログラムや、データ伝送に供されるＭＡＣアドレス（ＭＡＣ−Ａ）、ＩＰアドレス（ＩＰ−Ａ）等の格納領域を有し、ＤＳＰ１１１により読出／書込制御される。
【００２１】
通信インターフェイス部（ＰＨＹ）１１４は、ＤＳＰ１１１の制御の下に、ＭＡＣアドレスおよびＩＰアドレスを用いてパケット化された映像信号をＬＡＮを介して監視サーバに伝送する通信処理機能を有する。この通信処理において通信インターフェイス部１１４は、ＭＡＣアドレスを含む機器設定情報やＩＰアドレスを用いたパケットデータ（パケット化された映像信号）が通信コネクタＣ１および通信線３０を介してＬＡＮに接続された監視サーバ４０に送信し、監視サーバ４０から上記ＬＡＮ経由でカメラおよびカメラ映像を遠隔操作するための各種の制御信号を受信する。
【００２２】
ここで、上記した映像伝送処理装置１０の交換作業について、その作業手順を上記図１乃至図３を参照して説明する。ここでは、図１に示す映像伝送処理装置１０−１を故障若しくはその他の理由で映像監視システムから切り離し、この映像伝送処理装置１０−１に代わって映像伝送処理装置１０−２を映像監視システムに組み入れる装置の交換作業について説明する。予備機となる映像伝送処理装置１０−２には子基板１２が実装されていない。なお、ここでは筐体１０Ａを覆うカバーについて、その取り外し、取り付け作業を省略する。
【００２３】
この装置交換は、まず映像伝送処理装置１０−１の動作を停止して、映像伝送処理装置１０−１の筐体１０Ａ内の一側面部に取り付けられている子基板１２を筐体１０から取り外す。この子基板１２の取り外し作業は、子基板１２を螺子止めしている取付螺子１６の螺合を解除し、内部コネクタ１３と内部コネクタケーブル（フレキシブルケーブル）１４のコネクタ接続を解除することにより、固定記憶部１２１を実装した子基板１２を筐体１０から取り外すことができる。この際、子基板１２は単にＥＥＰＲＯＭを実装した小形で軽量の基板であり、取り扱いが容易で、かつ筐体１０Ａ内の取り付け、取り外しが容易な部位に螺子止めされていることから、子基板１２を筐体１０から容易かつ迅速に取り外すことができる。
【００２４】
続いて、映像伝送処理装置１０−１の筐体１０から取り外した子基板１２を映像伝送処理装置１０−２に実装し、当該映像伝送処理装置１０−２を現用機として起動する。この際の映像伝送処理装置１０−２への子基板１２の実装は、映像伝送処理装置１０−１から子基板１２を取り外した作業を遡る作業工程であり、子基板１２が実装されていない映像伝送処理装置１０−２への子基板１２の取り付け作業を容易かつ迅速に行うことができる。
【００２５】
このような子基板１２の取り外し、取り付け作業により、映像伝送処理装置１０の交換作業を迅速に実施でき、これによって映像監視システムの非稼働時間を大幅に短縮でき、信頼性の高い映像監視が可能となる。
【００２６】
なお、上記した実施形態では、子基板１２に設けた内部コネクタ１３と、親基板１１から延出して設けられた内部コネクタケーブル１４とのコネクタ接続およびその接続解除により、子基板１２の取り付け、取り外し作業を行ったが、親基板１１側のコネクタ接続およびその接続解除により、子基板１２の取り付け、取り外し作業を行うことも可能である。また、上記した実施形態では、子基板１２を筐体１０Ａ内の一側面部に螺子止め固定した取付構造であったが、これに限らず、例えば筐体１０Ａの背面若しくは前面部に子基板１２を収容する鍵付きポケットを設け、ポケット内に収容した子基板１２を延長ケーブルを介して親基板１１にコネクタ接続する構造、若しくは筐体１０Ａ内の取り付け、取り外しが容易な部位に螺子止め以外の基板固定具を用いて子基板１２を取り付ける構造等、他の構成による子基板取付構造であってもよい。また、親基板１１に実装された映像処理部の構成、筐体１０Ａ内における親基板１１の取付部位等も上記実施形態に限定されるものではなく、要は本発明の要旨を逸脱しない範囲で種々変形、変更可能である。
【符号の説明】
【００２７】
１０…映像伝送処理装置、１０Ａ…筐体、１１…親基板、１２…子基板、１３…内部コネクタ、１４…内部コネクタケーブル、１５…支柱、１６…取付螺子、２０…監視カメラ、１１１…デジタルシグナルプロセッサ（ＤＳＰ）、１１２…Ａ／Ｄコンバータ、１１３…内部記憶部（ＭＭ）、１１４…通信インターフェイス部（ＰＨＹ）、Ｃ１…通信コネクタ、Ｐ１，Ｐｍ…カメラコネクタ。
【図１】
0005622428.tif 000002
【図２】
0005622428.tif 000003
【図３】
0005622428.tif 000004